(57)【要約】      （修正有）【課題】多段に積み重ねたときに滑って荷崩れしないようにすると共に、外表面に施した印刷表示面に、落ち着き感と、風合い感と高級感を持たせたポリエチレンフィルム製米袋を提供する。【解決手段】ポリエチレンフィルムで長尺のチューブ体１を成形し、これを扁平に形成した扁平体２の側面部分２ｎ′を含む表面部２′に下地印刷層３を形成し、下地印刷層に商品の銘柄、産地等の表示をし、且つその下地印刷層にマットコート層４を形成する。扁平体の裏面には、ＪＡＳ法に基づく表示及びＰＬ法に基づく表示等を印刷し、且つその下地印刷層にマットコート層を形成した後、扁平チューブ体の長さ方向を設定長さに裁断して単一の袋体に成形して米袋とする。【選択図】図１
0003186111.tif 000002
【実用新案登録請求の範囲】
【請求項１】
ポリエチレンフィルムで長尺のチューブ体（１）を成形し、これを扁平に形成した扁平体（２）の表側面部分（２ｎ′）を含む表面部（２′）に下地印刷層（３）を形成し、当該下地印刷層に商品の名称、産地等の表示をし、且つその下地印刷層（３）につや消しによる半透明のマットコート層（４）を形成し、前記扁平体の裏面にＪＡＳ法に基づく表示及びＰＬ法に基づく表示（３６）を印刷し、且つ、上記のマットコート層（４）は、当該下地印刷層３及び表面側面部分（ｎ′）の面積を超えて当該扁平チューブ体表面（２′）の印刷部分（３１′）を含み、且つ、扁平チューブ体（２）の長さ方向を設定長さに裁断して単一の袋体を成形するように構成したことを特徴とする米袋。
【考案の詳細な説明】
【技術分野】
【０００１】
本考案は、ポリエチレンフィルム製米袋の外表面に施した印刷表示面に、当該米袋を多段に積み重ねたときに滑って荷崩れしないようにすると共に、落ち着き感と、風合い感と高級感を持たせることができるようにしたものである。
【背景技術】
【０００２】
従来において、ポリエチレンフィルム製米袋の外表面に内容物のブランド名やキャラクタ印刷表示にはポリエチレンフィルムに印刷加工をしたものが知られている。
【０００３】
また、ポリエチレン樹脂等の袋体は、可撓性、耐内容物性、耐引張性等に優れると共に、安価かつ簡単に製造でき、加工性に優れていること等の理由によりチューブ体から加工する米袋の材料として広く利用されている。
【０００４】
このポリエチレン製米袋が有する大きな特長は、その袋体表面がつるつるして平滑であるため汚れ難く、仮に汚れが付着しても簡単に拭き取ることができる。しかしながら難点としては、袋体の外観が光沢性に富んでいるため、これが却って、落ち着き感や風合い及び高級感に欠け、且つ冷たい感じがすることが否めない。
【０００５】
そこで、従来においても、合成樹脂製シート体に、和紙、織物、皮等の質感および感触を持たせるため、シート体の主構成層である主体層1の外表面に発泡樹脂層を形成し、その発泡樹脂層の外表面に印刷層を、そしてさらにその上にグラデーションマットコート層を形成したものが知られている。これによって、発泡樹脂層のもつ柔らかみ及び温かみ、そしてグラデーションマットコート層のもつつや消し効果とによって和紙、織物、皮等の質感および感触を引き出すことができるとしている。
【０００６】
そこで、さらに改良したものとして、チューブ容器を形成した場合に、内側から、主体層、発泡樹脂、印刷層、グラデーションマットコート層とから成る合成樹脂製シート体において、前記した発泡樹脂層と印刷層との間に、発泡樹脂層と同じ材質で形成した軟質樹脂層を設け、その軟質樹脂層の表面に印刷層を形成する発明が知られている。
【先行技術文献】
【特許文献】
【０００７】
【特許文献１】特開昭６１−１９７２３３号の発明
【特許文献２】特開昭６３−３１７３３２号の発明
【０００８】
上記の特許文献１にあっては、発泡樹脂層の表面はでこぼこした粗面であるため、その表面上に印刷層がうまくのらず、その結果、その印刷層によって形成される模様が設定通りに現出されないことである。また、粗面であるため、印刷層の発泡樹脂層に対する接着が必ずしも充分とはいえなかった。
【０００９】
次に特許文献２にあっては、特許文献１の発明の問題点を解消すべく、発泡樹脂層の外表面上に軟質樹脂層を形成したので、その表面上に形成される印刷層がうまくのって所望の模様等を確実に形成すると共に、強固に接着する。また、発泡樹脂層およびグラデーションマットコート層のはたらきによって柔らかみと温かみのある、和紙、織物、皮等のような質感および感触を持つシート体やそれによって形成されるチューブ容器等を製作することができる。さらに、軟質樹脂層を設けたことによって、シート体の層構造の強化にもつながるといった優れた効果も併せて発揮するとの効果がある、としている。
【考案の概要】
【考案が解決しようとする課題】
【００１０】
特許文献２の発明は、もっぱら単一の合成樹脂製シートそのものにグラデーションマットコートを施し、これをボトル容器に巻き付け包装するものである。したがって、そのグラデーションマットを表示する面積はきわめて小さい面積に限られる。
【課題を解決するための手段】
【００１１】
そこで、本考案は、従来の課題を解決し、発明の目的を達成するために提供するものである。
【００１２】
本考案の第１は、米袋において、ポリエチレンフィルムで長尺のチューブ体（１）を成形し、これを扁平に形成した扁平体（２）の表側面部分（２ｎ′）を含む表面部（２′）に下地印刷層（３）を形成し、当該下地印刷層に商品の名称、産地等の表示をし、且つその下地印刷層（３）につや消しによる半透明のマットコート層（４）を形成し、前記扁平体の裏面にＪＡＳ法に基づく表示及びＰＬ法に基づく表示（３６）を印刷し、且つ、上記のマットコート層（４）は、当該下地印刷層３及び表面側面部分（ｎ′）の面積を超えて当該扁平チューブ体表面（２′）の印刷部分（３１′）を含み、且つ、扁平チューブ体（２）の長さ方向を設定長さに裁断して単一の袋体を成形するように構成したものである。
【００１３】
本考案は上記の構成であるから、次の効果がある。すなわち、ポリエチレンフィルム製チューブ体の表裏面部に一袋分ごとに印刷加工した後、その印刷表示面にマットコーティングをしたことにより、その印刷表示部位にポリエチレン素材のつるつるした外観がなくなり、つや消しによる落ち着いた風合いと高級感を醸し出し、且つ暖かみを有するとともに効果がある。
【００１４】
また、その製法もポリエチレンフィルムで長尺のチューブ体を成形し、これを扁平に形成してその表面部と裏面部共に外側から印刷表示をして印刷層を形成した後、マットコーティング加工をするだけのきわめてシンプルの製法によってできる。
【図面の簡単な説明】
【００１５】
【図１】本考案に係る米袋用扁平チューブ体の斜視図である。
【図２】図１の拡大表面図である。
【図３】図１の拡大裏面図である。
【図４】図２の４−４線に沿う断面図である。
【図５】米袋用チューブ体の斜視図である。
【図６】本発明に係る米袋を多段積みした状態の概略側面図である。
【考案を実施するための形態】
【００１６】
本考案の実施形態は次のとおりである。袋体をポリエチレンフィルムで長尺のチューブ体を成形する。そして、そのチューブ体を扁平に形成してその表面部には、米のブランド名と生産地を大きく表示し、且つ内容量及び販売店のロゴマーク等を合わせて表示し、また扁平チューブ体の裏面部には米の名称、産地、品種、内容量、販売者、ＰＬ法に基づく表示等の必須記載事項のほか、販売者のスローガン、「おいしいご飯の炊き方」、「お米の上手な保存方法」の各事項を印刷表示して印刷層を形成し、その上からつや消しのマットコーティング加工を施す。
【実施例】
【００１７】
次に本考案の実施例を図面に即して説明する。１はポリエチレンフィルムで成形した長尺のチューブ体、２は当該チューブ体を偏平に形成した扁平体であり、その一方を表面部２′とし、他方を裏面部２″としてある。なお、表面部と裏面部の両側辺には、内容物Ｒを充填したときに袋体の側面２ｎの全幅ｗの半分の幅ｗ′・ｗ″となる表裏側面部分の２ｎ′・２ｎ″が形成されている。
【００１８】
３はそのチューブ体１の表面部２′と裏面部２″の表裏側面部分２ｎ′・２ｎ″を含む略全面を覆う白地又は雲龍模様状の下地となる印刷層であり、当該表裏側面部分を除く表裏面２′・２″内に印刷加工してある。その下地となる印刷層３内において、表面部に米の銘柄名３１と産地３２を大きく印刷表示し、且つ内容量３３及び販売者３４等を併せて表示し、併せて表面部の両側面部分２ｎ′に米の銘柄３１′が印刷してある。
【００１９】
また、扁平チューブ体１の裏面部２″には、ＪＡＳ法に基づく表示である「米の銘柄３１″、産地３２′、品種３５、内容量３３′、販売者３５」等、ＰＬ法に基づく表示３６等の必須記載事項のほか、販売者のスローガン３７、「おいしいご飯の炊き方３８」、「お米の上手な保存方法３９」の各事項を印刷表示して下地となる印刷層３を形成してある。
【００２０】
４は前記の白地又は雲竜模様印刷層３のスペースを超えて当該扁平チューブ体表裏面２′・２″の表裏側面部分２ｎ′・２ｎ″を含む略全面を覆うマットコート層である。このマットコート層は、つや消しによる半透明のコーティング加工されている。図１及び図２において、扁平チューブ体２の下部に表示してある点線ｓは底部を形成するシール部である。
【００２１】
「具体的な工程例」
ポリエチレンフィルム製長尺のチューブ体１（図５）を上下の押圧ローラーで折り目を付けながら扁平体２を成形し、当該扁平体表面部２′に白地又は雲竜模様印刷して下地となる印刷層３を形成し、次いで米の銘柄３１、産地名３２、内容量３３、販売者３４等を印刷表示する。
【００２２】
次に、前記の白地又は雲竜模様の下地となる印刷層３及び表面側面部分２ｎ′の面積を超えて当該扁平チューブ体表面２′の印刷部分３１′を含む略全面をマットコーティングしてつや消しによる半透明のコート層４を形成する。
【００２３】
続いて、扁平体裏面部２″に白地又は雲竜模様印刷して下地となる印刷層３を形成した後、ＪＡＳ法に基づく表示である「米の名称３１″、産地３２′、品種３５、内容量３３′、販売者３４等」、ＰＬ法に基づく表示３６等の必須記載事項のほか、販売者のスローガン３７、「おいしいご飯の炊き方３８」、「お米の上手な保存方法３９」の各事項を印刷表示して印刷層３を形成する。
【００２４】
なお、図３にあっては、扁平チューブ体１の裏面部２″には、下地印刷層３及び側面部位２ｎ″を覆うマットコート層４を設けないこともある。その理由は米袋の裏面は店頭に陳列する場合に、表面部ほどには余り人目に触れないことにある。しかしながら、図６のように米袋Ａを段積みする場合において、滑りによる位置ずれや荷崩れを防止し、且つ裏面にも風合いや落ち着き感並びに高級感を出すためには、裏面にも図３の鎖線示のようにマットコート層４を形成することが望ましい。
【産業上の利用可能性】
【００２５】
本考案は、精米の収容袋に限らず他の穀物、例えば麦、大豆、小麦粉、うどん粉類の収容袋の用途にも用いることができる。
【符号の説明】
【００２６】
１……ポリエチレン製チューブ体
２……偏平チューブ体
２′…偏平チューブ体の表面部
２″…偏平チューブ体の裏面部
２ｎ…米袋の側面部分
３……白地又は雲竜模様の下地となる印刷層
４……マットコート層
【図１】
0003186111.tif 000003
【図２】
0003186111.tif 000004
【図３】
0003186111.tif 000005
【図４】
0003186111.tif 000006
【図５】
0003186111.tif 000007
【図６】
0003186111.tif 000008